(57)【要約】【課題】複数機種の遊戯台に対する共用化、積載効率の向上、作業性の向上、および安全性の向上を併せて実現することができる遊戯台用輸送台車を提供する。【解決手段】遊戯台用輸送台車１は、台車本体３の収容空間１４を上下に複数の収容部１６に仕切る水平枠４と、水平枠４の上に取り付けられ、それぞれ遊戯台２が１台ずつ積載可能な複数の棚板５と、遊戯台２の背面枠側の端部の下部に後方から対向する後方規制具３１と、遊戯台２の積込口側の端部の下部に前方から対向する前方規制具５１と、遊戯台２の下部に側方から対向する第１の側方規制具３１と、第１の側方規制具２３とは反対側の側方から遊戯台２の下部に対向する第２の側方規制具５２と、遊戯台２の背面枠側の端部の上部を保持する保持具３２とを具備する。【選択図】図１
0003142681.tif 000002
【実用新案登録請求の範囲】
【請求項１】
一対の側面枠と、この一対の側面枠の後端部同士を連結する背面枠とを有し、これら側面枠と背面枠とにより三方が囲まれるとともに、残りの一方が積込口となる収容空間を形成する台車本体と、
前記台車本体に設けられ、前記収容空間内を水平方向に延びて、前記収容空間を上下に複数の収容部に仕切る水平枠と、
前記水平枠の上に取り付けられた複数の棚板であって、前記各収容部において前記積込口の間口方向に互いに離間して並べて配置されるとともに、それぞれ前記積込口から前記背面枠に向かって延びており、それぞれ遊戯台が１台ずつ積載可能な複数の棚板と、
前記各棚板の後端部に設けられ、前記棚板の上に積載された遊戯台の前記背面枠側の端部の下部に後方から対向する後方規制具と、
前記各棚板の前端部に設けられ、前記棚板の上に積載された遊戯台の前記積込口側の端部の下部に前方から対向する前方規制具と、
前記積載口の間口方向に沿って、前記棚板の上に積載された遊戯台の下部に側方から対向する第１の側方規制具と、
前記積載口の間口方向に沿って、前記棚板の上に積載された遊戯台の下部に前記第１の側方規制具とは反対側の側方から対向する第２の側方規制具と、
前記各収容部の後端部に設けられ、前記棚板の上に積載された遊戯台の前記背面枠側の端部の上部を保持する保持具と、
を具備することを特徴とする遊戯台用輸送台車。
【請求項２】
請求項１の記載において、
前記第１の側方規制具は、前記棚板の幅方向のいずれか一方の端部から上方に向いて起立したレールであり、このレールは、前記積込口から前記背面枠に向かって延びて、前記棚板の上を送入される遊戯台を前記積込口から前記収容部の奥へ向けて案内することを特徴とする遊戯台用輸送台車。
【請求項３】
請求項２の記載において、
前記第２の側方規制具は、前記各収容部の前端部に設けられるとともに、前記水平枠に固定された第１の部材と、この第１の部材に回動可能に連結された第２の部材とを有し、この第２の側方規制具は、前記第２の部材が前記第１の部材に対して開かれて前記遊戯台の前記積込口側の端部に対向する第１の姿勢と、前記第２の部材が前記第１の姿勢に比べて前記遊戯台から遠ざかるように前記第１の部材に重ねられる第２の姿勢との間で変形可能であることを特徴とする遊戯台用輸送台車。
【請求項４】
請求項３の記載において、
前記後方規制具および前記保持具は、それぞれ前記第１の側方規制具と同じ方向から前記遊戯台に対向する第１の支持部と、この第１の支持部とは反対側から前記遊戯台に対向する第２の支持部とを有し、前記第２の支持部は、前記第１の支持部に対して進退可能であり、前記第１の支持部と前記第２の支持部との間の間隔が積み込まれる遊戯台の厚さに合うように変更可能であることを特徴とする遊戯台用輸送台車。
【請求項５】
請求項４の記載において、
前記水平枠および前記棚板は、前記背面枠に対して折り畳み可能であり、
前記一対の側面枠は、前記背面枠に対して折り畳み可能な第１の側面枠と、前記背面枠に対して折り畳み可能でない第２の側面枠とを有し、
前記第２の側面枠の前端部には、前記水平枠、前記棚板、および前記第１の側面枠が前記背面枠に対して折り畳まれた時に当該遊戯台用輸送台車の重心が前記背面枠側に偏ることを抑制するための錘が取り付けられていることを特徴とする遊戯台用輸送台車。
【考案の詳細な説明】
【技術分野】
【０００１】
本考案は、遊戯台の輸送に用いられる遊戯台用輸送台車に関する。
【背景技術】
【０００２】
近年、パチンコ台やパチスロ台といった遊戯台は、機種の人気によって店舗の業績を大きく左右する。そのためこれら遊戯台は、年に数回に亘りモデルチェンジが行われることが多い。そして店舗は、モデルチェンジの度に新装開店を行うことで集客を図っている。
【０００３】
このモデルチェンジの際、新しい遊戯台は、遊戯台メーカーから設置される店舗まで、輸送用の台車にて輸送される。この輸送用の台車としては、規格サイズの汎用品である「キャスター折り畳み式ロールボックス」（いわゆるカゴ車）が用いられている。
【０００４】
この汎用ロールボックスは、例えばその内部にベニヤ板製の中間棚が設置され、その中間棚によって仕切られたロールボックス内の上段部と下段部にそれぞれ遊戯台が複数台ずつ並べて積載される。そして遊戯台同士の間、およびロールボックスの内面と遊戯台との間には緩衝用の発泡樹脂板が挿入される。これら発泡樹脂板により、輸送時および保管時における遊戯台の保護が図られている。
【考案の開示】
【考案が解決しようとする課題】
【０００５】
ところで、遊戯台は機種によって装飾が大きく異なり、製品外寸や形状が機種毎に大きく異なる。そのため前述のような汎用のロールボックスを複数機種の遊戯台に対して共用することは難しく、例えば機種毎に異なるロールボックスを使い分けることがある。
【０００６】
また一般規格品である汎用ロールボックスは大きさや強度が遊戯台に対応しないことも多い。さらに汎用ロールボックスは、ロールボックスの大きさに対して積載可能な遊戯台の数が少なく、積載効率の観点から改良の余地がある。
【０００７】
さらに汎用ロールボックスでは遊戯台を傾きや横ズレなく保持することは難しく、個々の遊戯台は汎用ロールボックスの中で不安定な状態で輸送される。そのため、移動時にロールボックスがバランスを崩して転倒してしまうおそれがある。
【０００８】
本考案の目的は、複数機種の遊戯台に対する共用化、積載効率の向上、作業性の向上、および安全性の向上を併せて実現することができる遊戯台用輸送台車を提供することにある。
【課題を解決するための手段】
【０００９】
本考案の一つの形態に係る遊戯台用輸送台車は、一対の側面枠とこの一対の側面枠の後端部同士を連結する背面枠とを有し、これら側面枠と背面枠とにより三方が囲まれるとともに、残りの一方が積込口となる収容空間を形成する台車本体と、前記台車本体に設けられ、前記収容空間内を水平方向に延びて、前記収容空間を上下に複数の収容部に仕切る水平枠と、前記水平枠の上に取り付けられた複数の棚板であって、前記各収容部において前記積込口の間口方向に互いに離間して並べて配置されるとともに、それぞれ前記積込口から前記背面枠に向かって延びており、それぞれ遊戯台が１台ずつ積載可能な複数の棚板と、前記各棚板の後端部に設けられ、前記棚板の上に積載された遊戯台の前記背面枠側の端部の下部に後方から対向する後方規制具と、前記各棚板の前端部に設けられ、前記棚板の上に積載された遊戯台の前記積込口側の端部の下部に前方から対向する前方規制具と、前記積載口の間口方向に沿って、前記棚板の上に積載された遊戯台の下部に側方から対向する第１の側方規制具と、前記積載口の間口方向に沿って、前記棚板の上に積載された遊戯台の下部に前記第１の側方規制具とは反対側の側方から対向する第２の側方規制具と、前記各収容部の後端部に設けられ、前記棚板の上に積載された遊戯台の前記背面枠側の端部の上部を保持する保持具とを具備する。
【考案の効果】
【００１０】
本考案によれば、複数機種の遊戯台に対する共用化、積載効率の向上、作業性の向上、および安全性の向上を併せて実現することができる。
【考案を実施するための最良の形態】
【００１１】
以下、本考案の実施形態に係る遊戯台用輸送台車１について、図１ないし図１０を参照して説明する。図１は、遊戯台用輸送台車１の全体を示す。この遊戯台用輸送台車１は、例えば９台の遊戯台２（すなわちパチンコ台やパチスロ台）を一度に積載して運搬することができる遊戯台専用の輸送台車である。図１に示すように、遊戯台用輸送台車１は、台車本体３と、この台車本体３の内部に設けられた水平枠４と棚板５とを有する。
【００１２】
台車本体３は、一対の側面枠である右側面枠１１と左側面枠１２と、この左右側面枠１１，１２の後端部同士を連結する背面枠１３とを有する。これにより台車本体３の内部には、遊戯台２が搭載される収容空間１４が形成される。収容空間１４は、左右側面枠１１，１２と背面枠１３とにより三方が囲まれるとともに、残りの一方が積込口１５となっている。
【００１３】
ここで右側面枠１１は、本考案でいう第１の側面枠の一例であり、背面枠１３に回動可能に連結され、背面枠１３に対して折り畳み可能である。一方、左側面枠１２は、本考案でいう第２の側面枠の一例であり、背面枠１３に対して折り畳み可能でない。
【００１４】
図１および図２に示すように、台車本体３には、複数の水平枠４が設けられている。水平枠４は、台車本体３に固定されているとともに、収容空間１４を水平方向に横切るように延びており、収容空間１４を上下に複数の収容部１６に仕切っている。本実施形態では、例えば３つの水平枠４が設けられ、収容空間１４を上段、中段、下段の３つの収容部１６に仕切っている。
【００１５】
図１に示すように、水平枠４の上には、複数の棚板５が取り付けられている。複数の棚板５は、比較的細長い矩形状に形成され、それぞれ遊戯台２を一台ずつ積載可能である。複数の棚板５は、各収容部１６において積込口１５の間口方向Ｄに互いに間隔を置いて並べて配置されている。図１に示すように、棚板５は、積込口１５から背面枠１３に向かって延びており、収容部１６の最奥部まで達している。遊戯台２は、この棚板５の上を滑らせることで積込口１５から収容部１６の奥まで送入される。なお「収容部の奥」とは、収容部の背面枠側の端部のことである。
【００１６】
図４に示すように、棚板５は、遊戯台２が載せられる受け面２１を有する。この受け面２１には、遊戯台２が塗装面に直接接触しないように、当該棚板５の略全長に亘って樹脂シート２２が貼付されている。
【００１７】
図４に示すように、棚板５は、当該棚板５の幅方向のいずれか一方の端部に設けられたレール２３を備える。レール２３は、本発明でいう第１の側方規制具の一例であり、積載口１５の間口方向Ｄ（すなわち幅方向）に沿って、棚板５の上に積載された遊戯台２に側方から対向する。本実施形態に係るレール２３は、例えば棚板５の左端部に設けられている。レール２３は、上方に向いて起立するとともに、積込口１５から背面枠１３に向かって延びている。遊戯台２は、このレール２３に側方を案内され、棚板５の上を積込口１５から収容部１６の奥に向けて送入される。
【００１８】
ここで遊戯台２について説明する。遊戯台２は、本体部である木枠部分２５と、装飾部２６とを有する（図６参照）。この装飾部２６の形状や外寸は、機種によって大きく異なる。一方、木枠部分２５は、機種が変わっても容易に店舗に設置できるようにある程度標準化されており、複数機種において同じ程度の大きさを有する。図１に示すように、遊戯台２は、中央部２７と、長手方向の端部である第１および第２の端部２８，２９を有する。第１の端部２８は、背面枠１３側となる端部である。第２の端部２９は、積込口１５側となる端部である。第１および第２の端部２８，２９に設けられる装飾部２６の厚さは、例えば中央部２７に設けられる装飾部２６の厚さよりも小さい。
【００１９】
図１に示すように、遊戯台用輸送台車１は、後方規制具３１および保持具３２を有する。後方規制具３１は、各棚板５の後端部（すなわち背面枠１３側の端部）に設けられ、棚板５の上に積載された遊戯台２の第１の端部２８の下部に後方および左右の側方から対向する。保持具３２は、各収容部１６の後端部（すなわち背面枠１３側の端部）に設けられ、棚板５の上に積載された遊戯台２が横方向に倒れないように、遊戯台２の第１の端部２８の上部を保持する。
【００２０】
詳しく述べると、後方規制具３１は、例えば水平枠４に固定されている。保持具３２は、水平枠４または背面枠１３に固定されている。後方規制具３１および保持具３２は、棚板５の上を滑らせることで積込口１５から収容部１６の奥へ向けて送入される遊戯台２に水平方向から対向するとともに、収容部１６の奥まで達した遊戯台２の第１の端部２８を受け止める。
【００２１】
図３および図５に示すように、後方規制具３１および保持具３２は、それぞれ中央部３４と、前記レール２３と同じ方向から遊戯台２に対向する第１の支持部３５と、第１の支持部３５とは反対側から遊戯台２に対向する第２の支持部３６とを有する。第２の支持部３６は、第１の支持部３５に対して進退可能である。これにより図５に示すように、第１および第２の支持部３５，３６の間の間隔は、積み込まれる遊戯台２の厚さに合うように間隔Ｓ１と間隔Ｓ２との間で変更可能である。
【００２２】
中央部３４は、遊戯台２の送入方向に沿って遊戯台２の第１の端部２８に対向するとともに、棚板５の上を滑らして押し込まれた遊戯台２が当接することで遊戯台２の前後方向の位置を規制する。第１および第２の支持部３５，３６は、互いに協働して遊戯台２の第１の端部２８を左右の側方から挟み込み、遊戯台２の横方向の位置を規制する。
【００２３】
図５に示すように、後方規制具３１は、中央部３４と第１の支持部３５とを含む第１の部材４１と、第２の支持部３６を含む第２の部材４２とを有する。第１の部材４１は、間口方向Ｄに延びる第１の延伸部４４を有する。第２の部材４２は、第１の延伸部４４と重なるように延びる第２の延伸部４５を有する。
【００２４】
本実施形態では、第１の延伸部４４には、間口方向Ｄに延びる長穴４６が設けられている。第２の延伸部４５には、ボルト穴４７が設けられている。この長穴４６とボルト穴４７とを挿通されたボルト４８の先端にナットが締められることで、第１および第２の部材４１，４２は互いに固定される。すなわち長穴４６内のボルト４８が挿通される位置をずらすことで、第１および第２の支持部３５，３６の間の間隔を任意に変更することができる。なお第２の延伸部４５に設けられるのはボルト穴４７に代えて長穴であってもよい。さらに第２の延伸部４５に長穴４６を設けるとともに、第１の延伸部４４にボルト穴４７を設けてもよい。なお詳しく図示しないが、保持具３２は、後方規制具３１と同じ構成を有する。
【００２５】
図１に示すように、各棚板５の前端部には、ストッパー５１が設けられている。ストッパー５１と後方規制具３１との間の距離は、ある程度標準化された遊戯台２の木枠部分２５の長手方向の長さよりもわずかに大きく設定されている。そして遊戯台２は、ストッパー５１と後方規制具３１との間に収容される。
【００２６】
ストッパー５１は、本発明でいう前方規制具の一例であり、棚板５の上に積載された遊戯台２の第２の端部２９（すなわち積込口１５側の端部）の下部に前方から対向する。ストッパー５１は、棚板５の受け面２１に対して段差を有し、遊戯台２が収容部１６から前方に飛び出すことを防止する。ストッパー５１は、後方規制具３１と協働して、遊戯台２の前後方向の位置を規制する。
【００２７】
また各収容部１６の前端部（すなわち積込口１５側の端部）には、横方向規制具５２が設けられている。レール２３と、後述する第１の姿勢にある横方向規制具５２との間の距離は、ある程度標準化された遊戯台２の木枠部分２５の厚さよりもわずかに大きく設定されている。そして遊戯台２は、横方向規制具５２とレール２３との間に収容される。
【００２８】
横方向規制具５２は、本発明でいう第２の側方規制具の一例であり、積載口１５の間口方向Ｄに沿って、第１の側方規制具であるレール２３とは反対側の側方から遊戯台２の第２の端部２９の下部に対向する。横方向規制具５２は、レール２３と協働して、遊戯台２の横方向の位置を規制する。
【００２９】
図６に示すように、横方向規制具５２は、例えば水平枠４に固定された第１の部材５２ａと、この第１の部材５２ａに回動可能に連結された第２の部材５２ｂとを有する遮断機式に形成されている。横方向規制具５２は、第２の部材５２ｂが第１の部材５２ａに対して開かれて、第２の部材５２ｂが遊戯台２の第２の端部２９に側方から対向する第１の姿勢（図６中、実線で表示）と、第２の部材５２ｂが前記第１の姿勢に比べて遊戯台２から遠ざかるように第１の部材５２ａに重ねられる第２の姿勢（図６中、二点鎖線で表示）との間で変形可能である。
【００３０】
図７に示すように、水平枠４および棚板５は、背面枠１３に対して折り畳み可能である。左側面枠１２の前端部には、錘としての鉄棒５４が取り付けられている。また左側面枠１２の前端部を構成するパイプ部材５５の中には、錘としての鉄棒５６が挿入されている。これら鉄棒５４，５６は、水平枠４、棚板５、および右側面枠１１が背面枠１３に対して折り畳まれた時に遊戯台用輸送台車１の重心が背面枠１３側に偏ることを抑制するために設けられている。
【００３１】
図８に示すように、右後のキャスター座６２には、右側面枠１１が背面枠１３に対して９０度以上開かないようにするための鋼板製の第１のストッパー６４が設けられている。これにより、右側面枠１１を折り畳み時から開くときに、９０度開いた位置において手などで右側面枠１１を固定する必要が無くなる。
【００３２】
図９に示すように、右前のキャスター座６３には、右側面枠１１を折り畳む時、所定位置よりも右側面枠１１が過度に折り畳まれないようにするための鋼板製の第２のストッパー６５が設けられている。これにより、右側面枠１１が棚板５に衝突することが防がれるとともに、折り畳まれた遊戯台用輸送台車１同士がうまく重なるようになる。
【００３３】
図１０に示すように、右後のキャスター座６２には、折り畳み状態での台車移動時に右側面枠１１が開いてこないように、右側面枠１１を折り畳まれた位置にロックするロック機構６６が設けられている。ロック機構６６の具体例としては、上下ピン、シャッター式ロック、またはスライド式ロックなどが挙げられる。このようなロック機構６６を設けると、折り畳み状態の移動時に、畳んだ側面枠１１が自然に開くことが防止される。
【００３４】
次に、遊戯台用輸送台車１の作用について説明する。まず遊戯台用輸送台車１への遊戯台２の積み込み過程は次の通りである。まず、後方規制具３１および保持具３２の第１および第２の支持部３５，３６の間の間隔が積み込まれる遊戯台２の厚さに合うように調整される。また横方向規制具５２は、遊戯台２の積み込みの邪魔にならないように前記第２の姿勢にされている。
【００３５】
遊戯台２の積み込みは、遊戯台２を棚板５に載せるとともに、棚板５の上を滑らせることで収容部１６の奥まで送入される。このとき、棚板５のレール２３に遊戯台２を沿わせることで安定した状態で遊戯台２を挿入することができる。
【００３６】
遊戯台２を収容部１６の奥まで押し込むと、遊戯台２の第１の端部２８の上部および下部が後方規制具３１および保持具３２が受け止められる。遊戯台２が後方規制具３１とストッパー５１との間に位置することで、遊戯台２の前後方向の位置が規制される。遊戯台２を収容した後、横方向規制具５２を、前記第１の姿勢に変形させる。これにより、遊戯台２の第２の端部２９がレール２３と横方向規制具５２により両側方から規制され、遊戯台２の横方向の位置が規制される。すなわち、後方規制具３１、ストッパー５１、レール２３、および横方向規制具５２により、遊戯台２の平面位置が規定される。また、遊戯台２の上部が保持具３２によって保持されることで、遊戯台２の傾きが規制され、転倒が防止される。これにより遊戯台２の積み込みが完了する。遊戯台用輸送台車１から遊戯台２を積み下ろす過程は前記と逆である。
【００３７】
このような構成の遊戯台用輸送台車１によれば、複数機種の遊戯台２に対する共用化、積載効率の向上、および作業性の向上によるトータルコストダウン、並びに安全性の向上を併せて実現することができる。
【００３８】
すなわち本実施形態に係る遊戯台用輸送台車１では、後方規制具３１、前方規制具としてのストッパー５１、第１の側方規制具としてのレール２３、および第２の側方規制具としての横方向規制具５２によって、棚板５の上に載置された遊戯台２の下部が四方向から取り囲まれ、その水平方向の位置が規制される。また、保持具３２によって、棚板５の上に載置された遊戯台２の上部が傾かないように保持され、遊戯台２の転倒が防止される。
【００３９】
例えばボルトや嵌合により遊戯台２を台車に固定するのではなく、前記のような規制具や保持具によって水平方向の位置と傾きとを規制することで、本発明に係る遊戯台用台車１は、製品外寸や形状が異なる複数機種の遊戯台２に幅広く共用して用いることができる。
【００４０】
特に、後方規制具３１、前方規制具としてのストッパー５１、第１の側方規制具としてのレール２３、第２の側方規制具としての横方向規制具５２、および保持具３２が、遊戯台２の第１および第２の端部２８，２８を保持・規制すると、遊戯台２の中央部２７の厚み制限が大きく緩和される。
【００４１】
また、後方規制具３１、ストッパー５１、レール２３、横方向規制具５２、および保持具３２により遊戯台２が保持・規制されると、遊戯台２が輸送時に揺れにくくなる。そのため、遊戯台２を保護するための遊戯台２同士の間の隙間や梱包材が小さくなったり不要になり、遊戯台２の積載密度を向上させることができる。これにより、ロールボックスの大きさに対して積載可能な遊戯台２の数が増え、積載効率を向上させることができる。また遊戯台２が保持・規制されていると、遊戯台用輸送台車１がバランスを崩して転倒してしまうようなおそれが小さく、安全性および作業性が向上する。
【００４２】
第１の側方規制具であるレール２３が積込口１５から収容部１６の奥まで延びていると、このレール２３をガイドとして利用できるので、遊戯台２の積み込み・積み下ろし作業が安定し、作業性がさらに向上する。
【００４３】
横方向規制具５２が遮断機式であり、前記第１および第２の姿勢の間で変形可能であると、積み込み時における遊戯台２の厚み制限がさらに大きく緩和される。すなわち、横方向規制具５２を前記第２の姿勢に変形させることで、中央部２７が比較的厚い遊戯台２であっても横方向規制具５２に邪魔されることなくスムーズに積み込みことができる。つまり、より多くの機種に対して遊戯台用輸送台車１を共用化することが可能になる。
【００４４】
後方規制具３１および保持具３２において、第１および第２の支持部３５，３６の間の間隔を変更することができると、遊戯台２の第１の端部２８の厚みが異なる複数種類の遊戯台２に対して共用化することができる
左側面枠１２の前端部に鉄棒５４，５５が設けられていると、遊戯台用輸送台車１を畳んだ時に、右後方に偏重心となりバランスを崩して転倒することがなくなり、作業者の安全性が向上する。遊戯台２が積載される平面部材を、１枚の平板ではなく、水平枠４と棚板５とで構成すると、遊戯台２が積載される平面部材を軽量にすることができ、折り畳み時の作業性が向上する。棚板５の上に滑りやすい樹脂シート２２が貼付されていると、積み込み・積み下ろし作業をスムーズに行うことができ、作業性がさらに向上する。
【００４５】
以上、本考案の一つの実施形態に係る遊戯台用輸送台車１について説明したが、本考案はこの実施形態に限定されるものではない。この考案は、実施段階ではその要旨を逸脱しない範囲で構成要素を適宜変形して具体化できる。例えば、遊戯台用輸送台車１は、折り畳み式のタイプに限定されるものではなく、折り畳み式でないタイプにも広く適用することができる。
【図面の簡単な説明】
【００４６】
【図１】本発明の実施形態に係る遊戯台用輸送台車の斜視図。
【図２】図１中に示された遊戯台用輸送台車の正面図（前部側の部材を省略して図示）。
【図３】図１中に示された遊戯台用輸送台車の一部を拡大して示す斜視図。
【図４】図３中に示された棚板のＦ４−Ｆ４線に沿う断面図。
【図５】図３中に示された後方規制具のＦ５−Ｆ５線に沿う断面図。
【図６】図３中に示された横方向規制具のＦ６−Ｆ６線に沿う断面図。
【図７】図１中に示された遊戯台用輸送台車の折り畳み時の状態を示す平面図。
【図８】本発明の実施形態に係る第１のストッパーを示す斜視図。
【図９】本発明の実施形態に係る第２のストッパーを示す斜視図。
【図１０】本発明の実施形態に係るロック機構を示す斜視図。
【符号の説明】
【００４７】
１…遊戯台用輸送台車、２…遊戯台、３…台車本体、４…水平枠、５…棚板、１１，１２…側面枠、１３…背面枠、１４…収容空間、１５…積込口、１６…収容部、２３…レール、３１…後方規制具、３２…保持具、３５…第１の支持部、３６…第２の支持部、５１…ストッパー、５２…横方向規制具、５２ａ…第１の部材、５２ｂ…第２の部材、５４，５６…鉄棒。
【図１】
0003142681.tif 000003
【図２】
0003142681.tif 000004
【図３】
0003142681.tif 000005
【図４】
0003142681.tif 000006
【図５】
0003142681.tif 000007
【図６】
0003142681.tif 000008
【図７】
0003142681.tif 000009
【図８】
0003142681.tif 000010
【図９】
0003142681.tif 000011
【図１０】
0003142681.tif 000012